(57)【特許請求の範囲】
【請求項１】
通信相手の識別データと、前記通信相手からの着信時に実行する着信報知処理の内容を示す個別着信設定データとを含む通信相手データが記録された電話帳記憶部と、
該電話帳記憶部をロックするか否かを示す電話帳用ロックデータが記録されたロックデータ記憶部と、
通信相手の識別データを含んだ通信設定確認要求の入力時、前記電話帳用ロックデータが前記電話帳記憶部をロックすることを示している場合は、ロックにより個別着信設定データが無効になっていることを表示すると共にロック解除ボタンを表示し、該ロック解除ボタンが操作されることにより、前記電話帳用ロックデータを、前記電話帳記憶部をロックしないことを示すものに変更し、前記電話帳用ロックデータが前記電話帳記憶部をロックしないことを示している場合は、前記電話帳記憶部から検索した通信相手データ中の個別着信設定データであって、前記着信設定確認要求に含まれている識別データに関連する通信相手データ中の個別着信設定データによって示される着信報知処理の内容を表示する制御部とを備えたことを特徴とする通信端末装置。
【請求項２】
請求項１記載の通信端末装置において、
前記通信相手データは、前記識別データによって識別される通信相手が属するグループのグループ識別データを含み、
前記電話帳記憶部には、グループ識別データと、該グループ識別データのグループに属する通信相手からの着信時に実行する着信報知処理の内容を示すグループ着信設定データとを含むグループデータが記録され、
前記制御部は、前記検索した通信相手データに有効な個別着信設定データが含まれていない場合は、前記通信相手データに有効なグループ識別データが含まれているか否かを判定し、有効なグループ識別データが含まれている場合は、前記電話帳記憶部から検索したグループデータ中のグループ着信設定データであって、前記着信設定確認要求に含まれている識別データに関連するグループデータ中のグループ着信設定データによって示される着信報知処理の内容を表示し、有効なグループ識別データが含まれていない場合は、デフォルトの着信報知処理の内容を表示することを特徴とする通信端末装置。
【請求項３】
通信相手の識別データと、前記通信相手からの着信時に実行する着信報知処理の内容を示す個別着信設定データとを含む通信相手データが記録された電話帳記憶部と、
ユーザデータが記録されるユーザデータ記憶部と、
前記電話帳記憶部をロックするか否かを示す電話帳用ロックデータと前記ユーザデータ記憶部をロックするか否かを示すユーザデータ用ロックデータとが記録されたロックデータ記憶部と、
通信相手の識別データを含んだ通信設定確認要求の入力時、
前記電話帳用ロックデータが前記電話帳記憶部をロックすることを示している場合は、ロックにより個別着信設定データが無効になっていることを表示し、
前記電話帳用ロックデータが前記電話帳記憶部をロックしないことを示している場合は、前記ユーザデータ用ロックデータが、前記ユーザデータ記憶部をロックすることを示しているか否かを判定し、
ロックすることを示していない場合は、前記電話帳記憶部から検索した通信相手データ中の個別着信設定データであって、前記着信設定確認要求に含まれている識別データに関連する通信相手データ中の個別着信設定データによって示される着信報知処理の内容を表示し、ロックすることを示している場合は、前記着信設定確認要求に含まれている識別データと関連する通信相手データ中の個別着信設定データによって示される着信報知処理の内容が前記ユーザデータ記憶部に記録されているユーザデータを利用するものであるか否かを判定し、利用するものである場合には、個別着信設定データが無効になっていることを表示する制御部とを備えたことを特徴とする通信端末装置。
【請求項４】
請求項３記載の通信端末装置において、
前記制御部は、前記ユーザデータ用ロックデータが、前記ユーザデータ記憶部をロックすることを示している場合は、ロック解除ボタンを表示し、該ロック解除ボタンが操作されることにより、前記ユーザデータ用ロックデータを、前記ユーザデータ記憶部をロックしないことを示すものに変更することを特徴とする通信端末装置。
【請求項５】
通信相手の識別データと前記通信相手からの着信時に実行する着信報知処理の内容を示す個別着信設定データとを含む通信相手データが記録された電話帳記憶部と、該電話帳記憶部をロックするか否かを示す電話帳用ロックデータが記録されたロックデータ記憶部と、制御部とを備えた通信端末装置が実行する着信設定内容確認方法であって、
前記制御部が、通信相手の識別データを含んだ通信設定確認要求の入力時、前記電話帳用ロックデータが前記電話帳記憶部をロックすることを示している場合は、ロックにより個別着信設定データが無効になっていることを表示すると共にロック解除ボタンを表示し、該ロック解除ボタンが操作されることにより、前記電話帳用ロックデータを、前記電話帳記憶部をロックしないことを示すものに変更し、前記電話帳用ロックデータが前記電話帳記憶部をロックしないことを示している場合は、前記電話帳記憶部から検索した通信相手データ中の個別着信設定データであって、前記着信設定確認要求に含まれている識別データに関連する通信相手データ中の個別着信設定データによって示される着信報知処理の内容を表示することを特徴とする着信設定内容確認方法。
【請求項６】
通信相手の識別データと前記通信相手からの着信時に実行する着信報知処理の内容を示す個別着信設定データとを含む通信相手データが記録された電話帳記憶部と、ユーザデータが記録されるユーザデータ記憶部と、前記電話帳記憶部をロックするか否かを示す電話帳用ロックデータと前記ユーザデータ記憶部をロックするか否かを示すユーザデータ用ロックデータとが記録されたロックデータ記憶部と、制御部とを備えた通信端末装置が実行する着信設定内容確認方法であって、
前記制御部が、通信相手の識別データを含んだ通信設定確認要求の入力時、
前記電話帳用ロックデータが前記電話帳記憶部をロックすることを示している場合は、ロックにより個別着信設定データが無効になっていることを表示し、
前記電話帳用ロックデータが前記電話帳記憶部をロックしないことを示している場合は、前記ユーザデータ用ロックデータが、前記ユーザデータ記憶部をロックすることを示しているか否かを判定し、
ロックすることを示していない場合は、前記電話帳記憶部から検索した通信相手データ中の個別着信設定データであって、前記着信設定確認要求に含まれている識別データに関連する通信相手データ中の個別着信設定データによって示される着信報知処理の内容を表示し、ロックすることを示している場合は、前記着信設定確認要求に含まれている識別データと関連する通信相手データ中の個別着信設定データによって示される着信報知処理の内容が前記ユーザデータ記憶部に記録されているユーザデータを利用するものであるか否かを判定し、利用するものである場合には、個別着信設定データが無効になっていることを表示することを特徴とする着信設定内容確認方法。
【請求項７】
通信相手の識別データと前記通信相手からの着信時に実行する着信報知処理の内容を示す個別着信設定データとを含む通信相手データが記録された電話帳記憶部と、該電話帳記憶部をロックするか否かを示す電話帳用ロックデータが記録されたロックデータ記憶部とを備えたコンピュータを、
通信相手の識別データを含んだ通信設定確認要求の入力時、前記電話帳用ロックデータが前記電話帳記憶部をロックすることを示している場合は、ロックにより個別着信設定データが無効になっていることを表示すると共にロック解除ボタンを表示し、該ロック解除ボタンが操作されることにより、前記電話帳用ロックデータを、前記電話帳記憶部をロックしないことを示すものに変更し、前記電話帳用ロックデータが前記電話帳記憶部をロックしないことを示している場合は、前記電話帳記憶部から検索した通信相手データ中の個別着信設定データであって、前記着信設定確認要求に含まれている識別データに関連する通信相手データ中の個別着信設定データによって示される着信報知処理の内容を表示する制御部として機能させるためのプログラム。
【請求項８】
通信相手の識別データと前記通信相手からの着信時に実行する着信報知処理の内容を示す個別着信設定データとを含む通信相手データが記録された電話帳記憶部と、ユーザデータが記録されるユーザデータ記憶部と、前記電話帳記憶部をロックするか否かを示す電話帳用ロックデータと前記ユーザデータ記憶部をロックするか否かを示すユーザデータ用ロックデータとが記録されたロックデータ記憶部とを備えたコンピュータを、
通信相手の識別データを含んだ通信設定確認要求の入力時、
前記電話帳用ロックデータが前記電話帳記憶部をロックすることを示している場合は、ロックにより個別着信設定データが無効になっていることを表示し、
前記電話帳用ロックデータが前記電話帳記憶部をロックしないことを示している場合は、前記ユーザデータ用ロックデータが、前記ユーザデータ記憶部をロックすることを示しているか否かを判定し、
ロックすることを示していない場合は、前記電話帳記憶部から検索した通信相手データ中の個別着信設定データであって、前記着信設定確認要求に含まれている識別データに関連する通信相手データ中の個別着信設定データによって示される着信報知処理の内容を表示し、ロックすることを示している場合は、前記着信設定確認要求に含まれている識別データと関連する通信相手データ中の個別着信設定データによって示される着信報知処理の内容が前記ユーザデータ記憶部に記録されているユーザデータを利用するものであるか否かを判定し、利用するものである場合には、個別着信設定データが無効になっていることを表示する制御部として機能させるためのプログラム。
【発明の詳細な説明】
【技術分野】
【０００１】
本発明は、携帯電話装置、ＰＨＳ(Personal Handy-phone System)端末装置などの通信端末装置に関する。
【背景技術】
【０００２】
近年、携帯電話装置などの通信端末装置には、電話帳を利用して通信相手毎に着信音、着信イルミネーション、バイブレータ、着信画面などを設定できるようにした着信設定機能を備えたものがある（例えば、特許文献１，２参照）。着信設定機能を備えた通信端末装置では、通信相手から着信があると、通信相手の電話番号などの識別データに関連付けて記録されている着信音などを示す着信設定データを電話帳から読み出し、それに応じた着信音などを出力する。
【０００３】
また、通信端末装置は、セキュリティの観点から、個人情報を利用する電話帳、メール、画像・ミュージックなどにロックをかけ、他人がそれらを利用できないようにするロック機能を備えているのが一般的である。
【先行技術文献】
【特許文献】
【０００４】
【特許文献１】特開２００７−１７４０６６号公報
【特許文献２】特開２００７−２０８７５３号公報
【発明の概要】
【発明が解決しようとする課題】
【０００５】
ところで、着信設定機能とロック機能とはそれぞれ独立に設定可能なものであるが、設定内容によっては他方の機能に影響が及ぶため、ユーザが認識している着信設定内容と、実際に着信があった際に実行される着信報知処理とが異なるものになるということがよくある。例えば、電話帳に対するロックが有効になっている場合は、そちらの方が優先され、電話帳を参照することができなくなるため、着信設定機能により電話帳に着信音などが設定されていても、設定内容とは異なる着信音などが出力されてしまう（電話帳に着信音としてメロディMnを設定していてもデフォルトの着信音が出力されてしまう）。従って、単に電話帳に設定されている着信設定内容を確認するだけでは、実際に着信があった際、どのような着信報知処理が行われるのかを把握することが難しいという問題がある。
【０００６】
[発明の目的]
そこで、本発明の目的は、実際に着信があった際に、どのような内容の着信報知処理が行われるのかを把握することが難しいという課題を解決した通信端末装置を提供することにある。
【課題を解決するための手段】
【０００７】
本発明にかかる第１の通信端末装置は、
通信相手の識別データと、前記通信相手からの着信時に実行する着信報知処理の内容を示す個別着信設定データとを含む通信相手データが記録された電話帳記憶部と、
該電話帳記憶部をロックするか否かを示す電話帳用ロックデータが記録されたロックデータ記憶部と、
通信相手の識別データを含んだ通信設定確認要求の入力時、前記ロックデータ記憶部に記録されている電話帳用ロックデータと、前記電話帳記憶部に記録されている、前記識別データに関連する個別着信設定データとに基づいて、前記識別データによって示される通信相手からの着信時に実行される着信報知処理の内容を表示する制御部とを備える。
【０００８】
本発明にかかる着信設定内容確認方法は、
通信相手の識別データと、前記通信相手からの着信時に実行する着信報知処理の内容を示す個別着信設定データとを含む通信相手データが記録された電話帳記憶部と、該電話帳記憶部をロックするか否かを示す電話帳用ロックデータが記録されたロックデータ記憶部と、制御部とを備えたコンピュータが実行する着信設定内容確認方法であって、
前記制御部が、通信相手の識別データを含んだ通信設定確認要求の入力時、前記ロックデータ記憶部に記録されている電話帳用ロックデータと、前記電話帳記憶部に記録されている、前記識別データに関連する個別着信設定データとに基づいて、前記識別データによって示される通信相手からの着信時に実行される着信報知処理の内容を表示する。
【０００９】
本発明にかかるプログラムは、
通信相手の識別データと、前記通信相手からの着信時に実行する着信報知処理の内容を示す個別着信設定データとを含む通信相手データが記録された電話帳記憶部と、該電話帳記憶部をロックするか否かを示す電話帳用ロックデータが記録されたロックデータ記憶部とを備えたコンピュータを、
通信相手の識別データを含んだ通信設定確認要求の入力時、前記ロックデータ記憶部に記録されている電話帳用ロックデータと、前記電話帳記憶部に記録されている、前記識別データに関連する個別着信設定データとに基づいて、前記識別データによって示される通信相手からの着信時に実行される着信報知処理の内容を表示する制御部として機能させる。
【発明の効果】
【００１０】
本発明によれば、着信があった際に、どのような内容の着信報知処理が行われるのかを、容易に確認することができるという効果を得ることができる。
【図面の簡単な説明】
【００１１】
【図１】本発明の第１の実施の形態の構成例を示すブロック図である。
【図２】メモリ２の構成例を示す図である。
【図３】電話帳記憶部２１の内容例を示す図である。
【図４】制御部１の構成例を示すブロック図である。
【図５】着信時に行われる着信報知処理の一部を示すフローチャートである。
【図６】着信時に行われる着信報知処理の残りの部分を示すフローチャートである。
【図７】着信設定内容を確認する際に行われる処理の一部を示すフローチャートである。
【図８】着信設定内容を確認する際に行われる処理の残りの部分を示すフローチャートである。
【図９】第１の実施の形態における有効設定内容表示画面の一例を示す図である。
【図１０】第１の実施の形態における有効設定内容表示画面の他の例を示す図である。
【図１１】第１の実施の形態における有効設定内容表示画面のその他の例を示す図である。
【図１２】第２の実施の形態で行われる処理の内の、第１の実施の形態で行われる処理と異なる部分を示したフローチャートである。
【図１３】第２の実施の形態で行われる処理の内の、第１の実施の形態で行われる処理と異なる部分を示したフローチャートである。
【図１４】第２の実施の形態における有効設定内容表示画面の一例を示す図である。
【発明を実施するための形態】
【００１２】
次に、本発明の実施の形態について詳細に説明する。
【００１３】
[本発明の第１の実施の形態]
図１を参照すると、本発明の第１の実施の形態にかかる携帯電話装置は、CPU（中央処理装置）によって実現される制御部１と、メモリ２と、アンテナ３と、無線部４と、キー操作部５と、LCDなどの表示部６と、音声コーデック部７と、スピーカ８と、マイク９とを備えている。尚、本実施の形態では、携帯電話装置を例に挙げて説明するが、本発明は、PHS端末装置、固定電話装置などの他の通信端末装置にも適用可能である。
【００１４】
携帯電話装置は、制御部１の制御により、アンテナ３及び無線部４を介して基地局（図示せず）との間で通信を行う。
【００１５】
無線部４は、アンテナ３を介して受信した信号の周波数を所定周波数に変換した後、これを増幅、復調して制御部１に入力する。また、無線部４は、制御部１からの送信データを変調、増幅し、アンテナ３を介して送信する。
【００１６】
音声コーデック部７は、制御部１から入力される音声データをアナログ信号に変換し、スピーカ８から出力する。また、音声コーデック部７は、マイク９から入力された音声信号をPCM信号にA/D変換して制御部１に入力する。
【００１７】
メモリ２には、図２に示すように、電話帳記憶部２１と、着信報知処理用データ記憶部２２と、ロックデータ記憶部２３と、ユーザデータ記憶部（データBOX）２４とが設けられている。
【００１８】
電話帳記憶部２１には、図３（Ａ）に示すように、通信相手を識別するための識別データに関連付けて、その通信相手が属するグループのグループ番号と、その通信相手から電話着信、メール着信があったときに実行する着信報知処理の内容を示す個別着信設定データが記録されている。本実施の形態では、通信相手の識別データは、通信相手の氏名、名称と、電話番号と、メールアドレスとを含み、個別着信設定データは、電話着信時の着信音、バイブレータ、イルミネーションを示す識別子と、メール着信時の着信音、バイブレータ、イルミネーションを示す識別子とを含む。同図（Ａ）における例えば、第１番目のデータ（通信相手データ）は、通信相手「Ａさん」の電話番号、メールアドレス、グループ番号がそれぞれ「TA, MA, G1」であることを表すと共に、Ａさんからの電話の着信時には着信音、バイブレータ、イルミネーションをそれぞれ識別子「メロディ５、バイブ２、イルミ１」で示されるものとし、メールの着信時には着信音、バイブレータ、イルミネーションをそれぞれ識別子「メロディ５、バイブ５、イルミ３」で示されるものにすることを表している。また、電話帳記憶部２１に記録される通信相手データの中には、第２番目の通信相手データにように、個別着信設定データに有効な値が設定されていないものや、第３番目の通信相手データのように、グループ番号が設定されていないものも存在する。
【００１９】
更に、電話帳記憶部２１には、図３（Ｂ）に示すように、グループ番号に関連付けて、そのグループ番号のグループに属する通信相手から電話着信、メール着信があった際に実行する着信報知処理の内容を示すグループ着信設定データが記録されている。本実施の形態では、グループ着信設定データは、電話着信時の着信音、バイブレータ、イルミネーションを示す識別子と、メール着信時の着信音、バイブレータ、イルミネーションを示す識別子とを含む。同図（Ｂ）における例えば第１番目のデータ（グループデータ）は、グループ番号「Ｇ１」のグループに属する通信相手から電話着信があった場合には、着信音、バイブレータ、イルミネーションをそれぞれ識別子「メロディ５、バイブ３、イルミ３」で示されるものとし、メール着信があった場合には、着信音、バイブレータ、イルミネーションをそれぞれ識別子「メロディ１、バイブ２、イルミ２」で示されるものにすることを表している。
【００２０】
着信報知処理用データ記憶部２２には、実際に着信音を出力したり、バイブレータを駆動したり、イルミネーションを点滅させるための着信報知処理用データが、識別子に関連付けて記録されている。
【００２１】
ロックデータ記憶部２３には、電話帳記憶部２１をロックするか否かを示す電話帳用ロックデータと、ユーザデータ記憶部２４をロックするか否かを示すユーザデータ用ロックデータとが記録される。
【００２２】
ユーザデータ記憶部２４には、ユーザがダウンロードした画像、ミュージック等のユーザデータが記録される。なお、本実施の形態では、ユーザデータは、先頭部分がBOXとなっている識別子（BOX1, BOX2等）に関連付けて記録されている。
【００２３】
制御部１は、通信相手と通話を行ったり、メールをやり取りするための通常の手段に加え、図４に示すように、確認対象選択手段１１と、有効設定内容表示手段１２と、着信報知手段１３とを備えている。
【００２４】
着信報知手段１３は、通信相手から着信があった場合、通信相手の識別データおよび通信種別と、電話帳記憶部２１の内容と、ロックデータ記憶部２３の内容とに基づいて、着信音、バイブレータ、イルミネーションそれぞれについて、その動作内容を示す識別子を求め、求めた識別子に基づいて、着信音を出力したり、バイブレータを駆動したり、イルミネーションを点滅させたりする。
【００２５】
確認対象選択手段１１は、着信報知処理の処理内容を確認したい通信種別および通信相手をユーザに選択させる。
【００２６】
有効設定内容表示手段１２は、電話帳記憶部２１およびロックデータ記憶部２３の内容に基づいて、ユーザが確認対象選択手段１１を用いて選択した通信種別と通信相手の組み合わせに対して現在有効になっている着信報知処理の処理内容を求め、求めた処理内容を表示部６に表示する機能を有する。
【００２７】
尚、制御部１はＣＰＵによって実現可能であり、その場合は例えば次のようにする。ＣＰＵを確認対象選択手段１１、有効設定内容表示手段１２、および、着信報知手段１３として機能させるためのプログラムを記録した半導体メモリ、ディスク、その他の記録媒体を用意し、ＣＰＵに上記プログラムを読み取らせる。ＣＰＵは、読み取ったプログラムに従って自身の動作を制御することにより、自ＣＰＵ上に、確認対象選択手段１１、有効設定内容表示手段１２、及び、着信報知手段１３を実現する。
【００２８】
次に、本実施の形態の動作について説明する。
【００２９】
先ず、着信時の動作を、図５および図６のフローチャートを参照して説明する。
【００３０】
制御部１内の着信報知手段１３は、着信があると、先ず、ロックデータ記憶部２３に記録されている電話帳用ロックデータに基づいて、電話帳記憶部２１がロックされているか否かを判定する（図５のステップＳ51）。そして、電話帳記憶部２１がロックされている場合（ステップＳ51がYES）は、全ての着信報知手段（本実施の形態では、着信音、バイブレータ、及び、イルミネーション）の処理内容を、着信のあった通信種別（本実施の形態では、電話またはメール）に対して定められているデフォルトの処理内容とする（ステップＳ52）。より具体的には、着信報知処理用データ記憶部２２に記録されているデータの内の、着信のあった通信種別に対して予め定められているデフォルトのデータに従って、着信音を出力したり、バイブレータを駆動したり、イルミネーションを点滅させる。つまり、電話帳記憶部２１にロックがかけられている場合は、そちらの方が、電話帳記憶部２１に記録されている個別着信設定データやグループ着信設定データよりも優先される。
【００３１】
これに対して、電話帳記憶部２１がロックされていない場合（ステップＳ51がNO）は、電話帳記憶部２１から該当する通信相手データを検索する（ステップＳ53）。より具体的には、着信信号に通信相手の電話番号が含まれている場合は、その電話番号を含む通信相手データを電話帳記憶部２１から検索し、着信信号に通信相手のメールアドレスが含まれている場合には、そのメールアドレスを含む通信相手データを検索する。
【００３２】
そして、該当する通信相手データを検索できなかった場合（ステップＳ54がNO）は、前述したステップＳ52の処理を行う。これに対して、該当する通信相手データを検索できた場合（ステップＳ54がYES）は、着信報知手段の種別（着信報知種別）の１つを処理対象にする（ステップＳ55）。即ち、着信音、バイブレータ、イルミネーションの内の１つを処理対象にする。
【００３３】
その後、着信報知手段１３は、ステップＳ53で検索した通信相手データ中の個別着信設定データに、処理対象としている着信報知種別と着信のあった通信種別との組み合わせに関連する識別子が設定されているか否かを判定する（図６のステップＳ61）。例えば、処理対象にしている着信報知種別が「着信音」、着信のあった通信種別が「電話」であり、ステップＳ53で検索した通信相手データが図３（Ａ）の第１番目の通信相手データであるとすると、個別着信設定データには、着信報知種別「着信音」と通信種別「電話」との組み合わせに関連付けて識別子「メロディ５」が記録されているので、ステップＳ61の判定結果は、YESとなる。
【００３４】
そして、個別着信設定データに識別子が設定されている場合（ステップＳ61がYES）は、上記識別子がユーザデータ記憶部２４内のユーザデータを指し示すものであるか否かを判定する（ステップＳ64）。つまり、着信報知処理にユーザデータが必要か否かを判定する。前述したように、本実施の形態では、ユーザデータは、先頭部分がBOXの識別子に関連付けてユーザデータ記憶部２４に設定されているので、ステップＳ64では識別子の先頭部分がBOXになっているか否かに基づいて、識別子がユーザデータを指し示すものであるか否かを判定することができる。
【００３５】
そして、識別子がユーザデータを指し示すものでない場合（ステップＳ64がNO）は、上記識別子に関連付けて記録されている着信報知処理用データを着信報知処理用データ記憶部２２から検索し、検索した着信報知処理用データに従って、処理対象にしている着信報知種別に関する着信報知処理を行う（ステップＳ69）。例えば、処理対象にしている着信報知種別がバイブレータである場合は、検索した着信報知処理用データに従ってバイブレータを駆動する。その後、着信報知手段１３は、図５のステップＳ55の処理に戻り、次の着信報知種別を処理対象にする。
【００３６】
これに対して、識別子がユーザデータを指し示すものである場合（ステップＳ64がYES）は、ロックデータ記憶部２３に記録されているユーザデータ用ロックデータに基づいて、ユーザデータ記憶部２４がロックされているか否かを判定する（ステップＳ65）。そして、ロックされていない場合（ステップＳ65がNO）は、ユーザデータ記憶部２４から検索した上記識別子のユーザデータに従って、処理対象にしている着信報知種別に関する着信処理を行い（ステップＳ68）、その後、図５のステップＳ55に戻り、次の着信報知種別を処理対象にする。これに対して、ユーザデータ記憶部２４がロックされている場合（ステップＳ65がYES）は、ステップＳ62の処理を行う。また、ステップＳ61の判定結果がNOとなった場合もステップＳ62の処理が行われる。つまり、個別着信設定データに従った着信報知処理を実行することが高いので、次に優先度が高いグループ着信設定データを使用して着信報知処理を実行するか否かを判定するために、ステップＳ62の処理を行う。
【００３７】
ステップＳ62では、着信のあった通信相手がグループに属し、且つ、通信相手が属しているグループのグループ着信設定データ（図３参照）に、処理対象にしている着信報知種別と着信のあった通信種別との組み合わせに関連する識別子が設定されているか否かを判定する。尚、通信相手がグループに属しているか否かは、図５のステップＳ53で検索した通信相手データにグループ番号が含まれているか否かによって判定する。例えば、処理対象にしている着信報知種別が「イルミネーション」、着信のあった通信種別が「メール」で、ステップＳ53で検索した通信相手データが、図３（Ａ）の第２番目の通信相手データである場合は、通信相手データにグループ番号「G1」が設定され、且つ、同図（Ｂ）に示すグループ番号「G1」のグループ着信設定データには、着信報知種別「イルミネーション」と通信種別「メール」との組み合わせに関連付けて、識別子「イルミ２」が設定されているので、ステップＳ62の判定結果はYESとなる。これに対して、ステップＳ53で検索した通信相手データが、図３（Ａ）の第１番目の通信相手データである場合は、通信相手データにグループ番号「G2」は設定されているが、同図（Ｂ）に示すグループ番号「G2」のグループ着信設定データには、着信報知種別「イルミネーション」と通信種別「メール」とに関連付けて識別子が設定されていないので、ステップＳ62の判定結果はNOとなる。
【００３８】
そして、通信相手がグループに属し、且つ、通信相手が属しているグループのグループ着信設定データに着信報知種別と通信種別との組み合わせに関連する識別子が設定されていると判定した場合（ステップＳ62がYES）は、上記識別子がユーザデータを指し示すものか否かを判定し（ステップＳ66）、ユーザデータを指し示すものでなかった場合は、前述したステップＳ69の処理を行う。これに対して、ユーザデータを指し示すものであった場合（ステップＳ66がYES）は、ユーザデータ記憶部２４がロックされているか否かを判定する（ステップＳ67）。
【００３９】
そして、ロックされていない場合（ステップＳ67がNO）は、前述したステップＳ68の処理を行う。これに対して、ロックされている場合（ステップＳ67がYES）は、ステップＳ63の処理を行う。ステップＳ63では、着信報知処理用データ記憶部２２に記録されているデフォルトの着信報知処理用データの内の、着信があった通信種別と処理対象にしている着信報知種別との組み合わせに関連付けて記録されている着信報知処理用データを入力し、入力した着信報知処理用データに従った着信報知処理を行う。その後、着信報知手段１３は、図５のステップＳ55の処理に戻り、次の着信報知種別を処理対象にして前述した処理と同様の処理を行う。そして、全ての報知対象種別について、処理が完了すると、着信報知手段１３は、その処理を終了する。このように、着信時の着信報知処理では、個別着信設定データが最も優先的に利用され、その次にグループ着信設定データが優先的に利用される。
【００４０】
次に、ユーザが着信時に実行される着信報知処理の内容を確認する場合の動作について、図７及び図８のフローチャートを参照して説明する。
【００４１】
ユーザは、着信時に実行される着信報知処理の内容を確認したい場合、キー操作部５に設けられている着信設定確認ボタン（図示せず）を操作する。これにより、制御部１内の確認対象選択手段１１は、通信種別の選択画面を表示部６に表示する（図７のステップＳ71）。本実施の形態では、「電話」、「メール」の内の何れか一方を選択するための選択画面を表示部６に表示する。
【００４２】
その後、ユーザが、通信種別の選択画面を用いて、着信報知処理内容の確認対象にする通信種別を選択すると、確認対象選択手段１１は、電話帳記憶部２１を参照し、そこに記録されている通信相手の氏名、名称の一覧が載った通信相手の選択画面を表示部６に表示する（ステップＳ72）。尚、ロックデータ記憶部２３に記録されている電話帳用ロックデータが、電話帳記憶部２１をロックしていることを示している場合は、ユーザに対してパスワードの入力を要求し、正しいパスワードが入力された場合に限り、上記した処理を行う。
【００４３】
その後、ユーザは、通信相手の選択画面を用いて、着信報知処理の処理内容の確認対象にする通信相手を選択する。例えば、Ａさんからのメール着信時に実行される着信報知処理の処理内容を確認したい場合には、ユーザは、通信種別の選択画面で「メール」を選択し、通信相手の選択画面で「Ａさん」を選択する。これにより、確認対象選択手段１１は、選択された通信相手の通信相手データを電話帳記憶部２１から検索し、検索した通信相手データと、通信種別の選択画面で選択された通信種別とを有効設定内容表示手段１２に渡す（ステップＳ73）。
【００４４】
これにより、有効設定内容表示手段１２は、ロックデータ記憶部２３に記録されている電話帳用ロックデータに基づいて、電話帳記憶部２１にロックが設定されているか否かを判定する（ステップＳ74）。
【００４５】
そして、ロックが設定されていると判定した場合（ステップＳ74がYES）は、表示部６に、電話帳ロック機能が有効になっているため、個別着信設定データ及びグループ着信設定データが無効となることを示す有効設定内容表示画面を表示する（ステップＳ75）。つまり、電話帳記憶部２１にロックがかけられている場合は、そちらの方が、電話帳記憶部２１に記録されている個別着信設定データやグループ着信設定データよりも優先されるので、優先度を考慮した表示を行う。
【００４６】
これに対して、ロックされていないと判定した場合（ステップＳ74がNO）は、着信報知種別の内の１つを処理対象にする（ステップＳ76）。その後、有効設定内容表示手段１２は、ステップＳ73で検索した通信相手データの個別着信設定データに、処理対象にしている着信報知種別とユーザが選択画面を用いて選択した通信種別との組み合わせに関連する識別子が設定されているか否かを判定する（図８のステップＳ81）。
【００４７】
そして、着信報知種別と通信種別との組み合わせに関連する識別子が個別着信設定データに設定されている場合（ステップＳ81がYES）は、上記識別子がユーザデータ記憶部２４に記録されているユーザデータを指し示すものであるか否かを判定する（ステップＳ84）。
【００４８】
判定の結果、上記識別子がユーザデータを指し示すものでなかった場合（ステップＳ84がNO）は、上記識別子と、処理対象にしている着信報知種別と、上記識別子が個別着信設定データによるものであることを示す情報「個別設定」とを組にして保持し（ステップＳ86）、その後、図７のステップＳ76に戻って、次の着信報知種別を処理対象にする。これに対して、上記識別子がユーザデータを指し示すものであった場合（ステップＳ84がYES）は、ロックデータ記憶部２３に記録されているユーザデータ用ロックデータに基づいて、ユーザデータ記憶部２４にロックが設定されているか否かを判定する（ステップＳ85）。
【００４９】
そして、ユーザデータ記憶部２４にロックが設定されていない場合（ステップＳ85がNO）は、前述したステップＳ86の処理を行う。これに対して、ロックが設定されている場合は、ステップＳ82の処理を行う。また、ステップＳ81の判定結果がNOとなった場合もステップＳ82の処理を行う。
【００５０】
ステップＳ82では、ユーザが通信相手の選択画面を用いて選択した通信相手がグループに属し、且つ、通信相手が属しているグループのグループ着信設定データ（図３参照）に、処理対象にしている着信報知種別と、ユーザがステップＳ71において選択画面を用いて選択した通信種別との組み合わせに関連付けて識別子が設定されているか否かを判定する。
【００５１】
そして、通信相手がグループに属し、且つ、通信相手が属しているグループのグループ着信設定データに、着信報知種別と通信種別との組み合わせに関連する識別子が設定されている場合（ステップＳ82がYES）は、上記識別子がユーザデータ記憶部２４に記録されているユーザデータを指し示すものか否かを判定し（ステップＳ87）、ユーザデータを指し示すものでなかった場合は、上記識別子と、処理対象にしている着信報知種別と、上記識別子がグループ着信設定データによるものであることを示す情報「グループ着信設定」とを組にして保持し（ステップＳ89）、その後、次の着信報知種別を処理対象にする（図７のステップＳ76）。
【００５２】
これに対して、識別子がユーザデータを指し示すものである場合（ステップＳ87がYES）は、ユーザデータ記憶部２３がロックされているか否かを判定する（ステップＳ88）。そして、ロックされていない場合（ステップＳ88がNO）は、前述したステップＳ89の処理を行い、ロックされている場合（ステップＳ88がYES）は、ステップＳ83の処理を行う。また、ステップＳ82の判定結果がNOとなった場合も、ステップＳ83の処理を行う。
【００５３】
ステップＳ83では、上記識別子と、処理対象にしている着信報知種別と、上記識別子がデフォルトの着信報知処理データに関連することを示す情報「デフォルト」との組を保持する。その後、有効設定内容表示手段１２は、図７のステップＳ76に進み、前述した処理と同様の処理を行う。以上の処理を、全ての着信報知種別について行うと（ステップＳ77がYESとなると）、ステップＳ78の処理を行う。
【００５４】
ステップＳ78では、ステップＳ83、Ｓ86、Ｓ89で保持しておいた情報に基づいて、ユーザが選択した通信相手から、ユーザが選択した通信種別での着信があった場合、着信報知種別（着信音、バイブレータ、イルミネーション）毎に、個別着信設定データ、グループ着信設定データ、或いは、デフォルトの着信報知処理用データの内の何れを用いて、どのような内容の着信報知処理が行われるのかを示す有効設定内容表示画面を表示部６に表示する。
【００５５】
次に、具体例を挙げて、有効設定内容表示画面を表示する際の動作について説明する。今、電話帳記憶部２１の内容が、図３（Ａ）、（Ｂ）に示すものとなっており、ロックデータ記憶部２３に記録されている電話帳用ロックデータ及びユーザデータ用ロックデータが共にロックされていないことを示しているとする。そして、この状態においてユーザが、図７のステップＳ71で通信種別「メール」を選択し、ステップＳ72で通信相手「Ａさん」を選択したとすると、次のような処理が行われる。
【００５６】
ステップＳ73において、確認対象選択手段１１が、図３（Ａ）の第１番目の通信相手データ（氏名、名称がＡさんとなっている通信相手データ）を検索する。
【００５７】
ステップＳ74において、有効設定内容表示手段１２が、電話帳記憶部２１にはロックが設定されていないと判定する。その結果、ステップＳ76の処理が行われる。
【００５８】
ステップＳ76において、有効設定内容表示手段１２が、着信報知種別の１つ（着信音）を処理対象にする。
【００５９】
検索した通信相手データ中の個別着信設定データ（図３参照）には、通信種別「メール」と着信報知種別「着信音」との組み合わせに関連付けて、識別子「メロディ５」が記録されているので、図８のステップＳ81の判定結果がYESとなり、ステップＳ84の処理が行われる。
【００６０】
識別子「メロディ５」は、ユーザデータを指し示すものでないので、ステップＳ84の判定結果がNOとなり、ステップＳ86の処理が行われる。
【００６１】
ステップＳ86では、着信報知種別「着信音」と、識別子「メロディ５」と、「個別設定」との組を保持する。
【００６２】
その後、着信報知種別「バイブレータ」を処理対象にして（図７のステップＳ76）、前述した処理と同様の処理が行われる。着信項目種別を「バイブレータ」とした場合は、ステップＳ86において着信報知種別「バイブレータ」と、識別子「バイブ５」と、「個別設定」との組が保持される。
【００６３】
その後、着信報知種別「イルミネーション」を処理対象にして（図７のステップＳ76）、前述した処理と同様の処理が行われる。この場合は、ステップＳ86において、着信報知種別「イルミネーション」と、識別子「イルミ３」と、「個別設定」との組が保持される。
【００６４】
着信種別「イルミネーション」についての処理が完了すると（ステップＳ77がYESとなると）、ステップＳ86で保持している情報に基づいて、図９に示すような有効設定内容表示画面を表示部６に表示する（ステップＳ78）。図９の有効設定内容表示画面は、Ａさんからメール着信があった場合には、着信音、バイブレータ、イルミネーションがそれぞれ識別子「メロディ５、バイブ５、イルミ３」によって示されるものとなり、それらは全て個別設定されたものであることを示している。
【００６５】
次に、電話帳記憶部２１およびロックデータ記憶部２３の内容が前述したものであるときに、ユーザが、図７のステップＳ71、Ｓ72において通信種別「メール」、通信相手「Ｂ社」を選択した場合の動作を説明する。
【００６６】
ステップＳ73において、確認対象選択手段１１が図３（Ａ）の第２番目の通信相手データ（氏名、名称がＢ社となっている通信相手データ）を検索する。
【００６７】
ステップＳ74において、有効設定内容表示手段１２が、電話帳記憶部２１にはロックが設定されていないと判定する。その結果、ステップＳ76の処理が行われる。
【００６８】
ステップＳ76において、有効設定内容表示手段１２が、着信報知種別の１つ（例えば、着信音）を処理対象にする。
【００６９】
検索した通信相手データ中の個別着信設定データには、通信種別「メール」と着信報知種別「着信音」との組み合わせに関連付けて識別子が設定されていないので、図８のステップＳ81の判定結果がNOとなり、ステップＳ82の処理が行われる。
【００７０】
検索した通信相手データには、グループ番号「G1」が設定されている。また、グループ番号「G1」に関連付けて記録されているグループ着信設定データには、通信種別「メール」と着信報知種別「着信音」との組み合わせに関連付けて識別子「メロディ１」が設定されているので、ステップＳ82の判定結果がYESとなり、ステップＳ87の処理が行われる。
【００７１】
識別子「メロディ１」は、ユーザデータを指し示すものでないので、ステップＳ87の判定結果がNOとなり、ステップＳ89の処理が行われる。
【００７２】
ステップＳ89では、識別子「メロディ１」と、着信報知種別「着信音」と、「グループ設定」との組を保持する。
【００７３】
その後、着信報知種別「バイブレータ」を処理対象にして前述した処理と同様の処理が行われ、ステップＳ89において、識別子「バイブ２」と、着信報知種別「バイブレータ」と、「グループ設定」とが保持される。
【００７４】
更に、着信報知種別「イルミネーション」を処理対象にして前述した処理と同様の処理が行われ、ステップＳ89において、識別子「イルミ２」と、着信報知種別「イルミネーション」と、「グループ設定」とが保持される。
【００７５】
その後、図７のステップＳ78の処理が行われ、図１０に示すような有効設定内容表示画面が表示部６に表示される。この有効設定内容表示画面は、Ｂ社からメール着信があった場合には、着信音、バイブレータ、イルミネーションがそれぞれ識別子「メロディ１、バイブ２、イルミ２」によって示されるものとなり、それらは全てグループ設定されたものであることを示している。
【００７６】
次に、電話帳記憶部２１およびロックデータ記憶部２３の内容が前述したものであるときに、ユーザが、図７のステップＳ71、Ｓ72において通信種別「電話」、通信相手「Ｃさん」を選択した場合の動作を説明する。
【００７７】
ステップＳ73において、確認対象選択手段１１が図３（Ａ）の第３番目の通信相手データ（氏名、名称がＣさんとなっている通信相手データ）を検索する。
【００７８】
ステップＳ74において、有効設定内容表示手段１２が、電話帳記憶部２１にはロックが設定されていないと判定する。その結果、ステップＳ76の処理が行われる。
【００７９】
ステップＳ76において、有効設定内容表示手段１２が、着信報知種別の１つ（例えば、着信音）を処理対象にする。
【００８０】
検索したＣさんの通信相手データ中の個別着信設定データには、通信種別「電話」と着信報知種別「着信音」との組み合わせに関連付けて識別子「BOX1」が設定されているので、ステップＳ81の判定結果がYESとなり、ステップＳ84の処理が行われる。
【００８１】
識別子「BOX1」は、ユーザデータを指し示すものであるので、ステップＳ84の判定結果がYESとなり、ステップＳ85の処理が行われる。
【００８２】
ユーザデータ記憶部２３はロックされていないので、ステップＳ85の判定結果がNOとなり、ステップＳ86の処理が行われる。
【００８３】
ステップＳ86では、識別子「BOX1」と、着信報知種別「電話」と、「個別設定」との組を保持する。
【００８４】
その後、着信報知種別「バイブレータ」を処理対象にして前述した処理と同様の処理が行われ、ステップＳ86において、識別子「バイブ３」と着信報知種別「電話」と、「個別設定」とが保持される。
【００８５】
次に、着信報知種別「イルミネーション」を処理対象にした処理が行われる。この場合、検索したＣさんの通信相手データ中の個別着信設定データには、通信種別「電話」と着信報知種別「イルミネーション」をとの組み合わせに関連付けて識別子が設定されていないので、ステップＳ81の判定結果がNOとなり、ステップＳ82の処理が行われる。
【００８６】
ステップＳ82では、識別子「デフォルトイルミ」と、着信報知種別「イルミネーション」と、「デフォルト」とを保持する。
【００８７】
着信報知種別「イルミネーション」についての処理が完了することにより、ステップＳ77の判定結果がYESとなるので、ステップＳ78の処理が行われ、図１１に示すような有効設定内容表示画面が表示部６に表示される。この有効設定内容表示画面は、Ｃさんから電話着信があった場合には、着信音、バイブレータ、イルミネーションがそれぞれ識別子「BOX1、バイブ３、デフォルトイルミ」によって示されるものとなることを示している。更に、この有効設定内容表示画面は、着信音及びバイブレータは、個別設定されたものであり、イルミネーションはデフォルトのものであることを示している。
【００８８】
［第１の実施の形態の効果］
本実施の形態によれば、着信があった際に、どのような内容の着信報知処理が行われるのかを、事前に容易に確認することができるという効果を得ることができる。その理由は、電話帳記憶部２１に記録されている個別着信設定データだけでなく、ロックデータ記憶部２３に記録されている電話帳用ロックデータも考慮して着信時に実行される着信処理の内容を表示する制御部１を備えているからである。
【００８９】
また、本実施の形態は、個別着信設定データとグループ着信設定データとの優先順位を考慮して着信時に実行される着信報知処理の内容を表示する制御部１を備えているので、個別着信設定およびグループ着信設定を行うことが可能な通信端末装置であっても、着信時にどのような内容の着信報知処理が行われるのかを、事前に確認することが可能になる。
【００９０】
［本発明の第２の実施の形態］
次に、本発明の第２の実施の形態について説明する。本実施の形態は、有効設定内容表示画面を利用して、電話帳記憶部２１に対するロックを解除したり、ユーザデータ記憶部２４に対するロックを解除できるようにしたことを特徴とする。
【００９１】
本実施の形態は、前述した第１の実施の形態に、下記(1)〜(3)に示す変更を加えることにより実現できる。
【００９２】
(1)図７のステップＳ75に示す処理の代わりに、図１２のステップＳ75-1〜Ｓ75-4に示す処理を行う。
(2)図８のステップＳ85の判定結果がYESとなった場合、及び、図８のステップＳ88の判定結果がYESとなった場合、ユーザデータロックフラグをセットする。
(3)図７のステップＳ78に示す処理の代わりに、図１３のステップＳ78-1〜Ｓ78-7の処理を行う。
【００９３】
次に、本実施の形態の動作について説明する。尚、ここでは、第１の実施の形態との相違部分についてのみ説明する。
【００９４】
本実施の形態では、ステップＳ74において、電話帳用ロックデータが電話帳記憶部２１をロックしていると判定した場合（ステップＳ74がYESの場合）、図１２に示すステップＳ75-1〜Ｓ75-4の処理を行う。
【００９５】
ステップＳ75-1では、電話帳がロックされているため、着信設定（個別、グループ）が無効になる旨のメッセージに加え、ロック設定変更ボタンおよび終了ボタンを含んだ有効設定内容表示画面を表示部６に表示する。このときに表示される有効設定内容表示画面の一例を図１４に示す。
【００９６】
この有効設定内容表示画面を見たユーザは、電話帳記憶部２１に対するロックを無効にする場合は、ロック設定変更ボタンを操作し、そうでない場合は、終了ボタンを操作する。
【００９７】
制御部１内の有効設定内容表示手段１２は、ロック設定変更ボタンが操作された場合（ステップＳ75-2がYES）は、ロックデータ記憶部２３に記録されている電話帳用ロックデータを、電話帳記憶部２１がロックされていないことを示すものに変更した後（ステップＳ75-4）、その処理を終了する。これに対して、終了ボタンが操作された場合（ステップＳ75-3）は、直ちにその処理を終了する。
【００９８】
また、本実施の形態では、図８のステップＳ85の判定結がYESとなった場合、及び、ステップＳ88の判定結果がYESとなった場合、ユーザデータロックフラグをセットする。つまり、ユーザデータを利用するように設定されているが、ユーザデータ記憶部２４にロックがかかっているため、着信時にユーザデータを利用した着信報知処理を実行することができない着信報知手段が存在する場合、ユーザデータロックフラグがセットされる。
【００９９】
また、本実施の形態では、図７のステップＳ78の処理の代わりに、図１３のステップＳ78-1〜S78-7の処理を行う。
【０１００】
ステップＳ78-1では、ステップＳ83、Ｓ86、Ｓ89で保持しておいた情報に基づいて、有効設定内容表示画面に表示する表示内容を決定する。即ち、着信報知種別（着信音、バイブレータ、イルミネーション）毎に、個別着信設定データ、グループ着信設定データ、或いは、デフォルトの着信報知処理用データの内の何れを用いて、どのような内容の着信報知処理が行われるのかを、ユーザに知らせるための表示内容を決定する。
【０１０１】
その後、制御部１内の有効設定内容表示手段１２は、ユーザデータロックフラグがセットされているか否かを判定する（ステップＳ78-2）。
【０１０２】
そして、ユーザデータロックフラグがセットされていない場合（ステップＳ78-2がNO）は、ステップＳ78-1で決定した表示内容を含んだ有効設定内容表示画面を表示部６に表示した後（ステップＳ78-6）、その処理を終了する。
【０１０３】
これに対して、ユーザデータロックフラグがセットされている場合（ステップＳ78-2がYES）は、ステップＳ78-1で決定した表示内容に加えて、ロック設定変更ボタン、終了ボタン、及び、ユーザデータがロックされていることを示すメッセージを含んだ有効設定内容表示画面を表示部６に表示する（ステップＳ78-3）。
【０１０４】
有効設定内容表示画面を見たユーザは、ユーザデータ記憶部２４に対するロックを解除するのであれば、ロック設定変更ボタンを操作し、そうでなければ、終了ボタンを操作する。
【０１０５】
制御部１内の有効設定内容表示手段１２は、ロック設定変更ボタンが操作された場合（ステップＳ78-4がYES）は、ロックデータ記憶部２３に記録されているユーザデータ用ロックデータを、ユーザデータ記憶部２４にロックがかかっていないことを示すものに変更した後（ステップＳ78-7）、その処理を終了する。これに対して、終了ボタンが操作された場合（ステップＳ78-5がYES）は、直ちにその処理を終了する。
【０１０６】
[第２の実施の形態の効果]
本発明によれば、着信設定内容の確認時に、必要に応じて、電話帳記憶部２１に対するロックや、ユーザデータ記憶部２４に対するロックを容易に解除することができるという効果を得ることができる。その理由は、有効設定内容表示画面にロック設定変更ボタンを設け、このボタンが操作された場合は、電話帳記憶部２１に対するロックや、ユーザデータ記憶部２４に対するロックを解除するようにしているからである。
【産業上の利用可能性】
【０１０７】
本発明は、携帯電話装置、PHS端末装置、固定電話装置などの通信端末装置の利用可能である。
【符号の説明】
【０１０８】
１      制御部
２      メモリ
３      アンテナ
４      無線部
５      キー操作部
６      表示部
７      音声コーデック部
１１    確認対象選択手段
１２    有効設定内容表示手段
１３    着信報知手段
２１    電話帳記憶部
２２    着信報知処理用データ記憶部
２３    ロックデータ記憶部
２４    ユーザデータ記憶部
【図１】
0005601582.tif 000002
【図２】
0005601582.tif 000003
【図３】
0005601582.tif 000004
【図４】
0005601582.tif 000005
【図５】
0005601582.tif 000006
【図６】
0005601582.tif 000007
【図７】
0005601582.tif 000008
【図８】
0005601582.tif 000009
【図９】
0005601582.tif 000010
【図１０】
0005601582.tif 000011
【図１１】
0005601582.tif 000012
【図１２】
0005601582.tif 000013
【図１３】
0005601582.tif 000014
【図１４】
0005601582.tif 000015